(57)【要約】      （修正有）【課題】小型化を図りつつ、組み立ての際、外装部材への基板上の搭載部材の接触を回避でき、さらに基板の搭載部材が設けられた部位の位置ずれを確実に防止できる構成を具備する撮像装置を提供する。【解決手段】基板固定部材２０は、第１の部位２２ａが固定される固定部２０ａと、第２の部位２２ｂを第１の部位２２ａの上面２２ａｔよりも低く押し下げてクランク状に折り曲げることにより、実装エリアＡの実装面２２ｂｊを上面２２ａｔよりも低く位置させるとともに第２の部位２２ｂの位置を固定する基板押し下げ部２０ｂと、実装エリアＡの実装面２２ｂｊに実装された電子部品１５１を収納するとともに、平面視した状態において実装エリアＡを囲む壁部５２が設けられた収納部２０ｃと、を有し、壁部５２の頂部５２ｔは、電子部品１５１よりも高く、第１の部位２２ａの上面２２ａｔ以下の高さに位置している。【選択図】図３
2013056003.tif 000002
【特許請求の範囲】
【請求項１】
第１の部位と該第１の部位から延出された第２の部位とを有するとともに前記第２の部位における実装エリアの実装面に搭載部材が設けられた基板と、前記基板が固定される基板固定部材とを具備する撮像装置であって、
前記基板固定部材は、
前記基板の前記第１の部位が固定される固定部と、
前記第２の部位を前記第１の部位の前記固定部への固定面とは反対側の非固定面よりも低く押し下げてクランク状に折り曲げることにより、前記実装エリアの前記実装面を前記非固定面よりも低く位置させるとともに前記第２の部位の位置を固定する基板押し下げ部と、
前記実装エリアの前記実装面に設けられた前記搭載部材を収納するとともに、平面視した状態において前記実装エリアを囲む壁部が設けられた収納部と、
を有し、
前記壁部の頂部は、前記搭載部材よりも高く、前記第１の部位の前記非固定面以下の高さに位置していることを特徴とする撮像装置。
【請求項２】
前記基板の少なくとも前記第２の部位は、フレキシブル基板から構成されていることを特徴とする請求項１に記載の撮像装置。
【請求項３】
前記基板押し下げ部は、前記基板の延在方向において前記固定部に隣接して前記基板固定部材に形成された第１の貫通孔と、該第１の貫通孔によって前記基板固定部材に形成された前記第１の貫通孔の縁部とから構成されているとともに、
前記基板の前記第２の部位が前記第１の貫通孔に貫通されることにより、前記基板固定部材の前記縁部の底部への前記第２の部位の前記実装面の接触によって、前記第２の部位が押し下げられるとともに前記第２の部位の位置が固定されることを特徴とする請求項２に記載の撮像装置。
【請求項４】
前記基板の前記第２の部位は、前記縁部の前記底部に対して、前記実装面が弾性力を有して接触することを特徴とする請求項３に記載の撮像装置。
【請求項５】
前記収納部は、前記基板の延在方向において前記縁部を介して前記第１の貫通孔に隣接して前記基板固定部材に形成された第２の貫通孔と、該第２の貫通孔によって前記基板固定部材に形成された前記壁部とから構成されており、
前記収納部において、前記第２の部位の前記実装面が前記壁部の底部に接触していることを特徴とする請求項３または４に記載の撮像装置。
【請求項６】
前記搭載部材は、前記基板に実装された電子部品であることを特徴とする請求項１〜５のいずれか１項に記載の撮像装置。
【請求項７】
前記搭載部材は、さらに、前記電子部品の前記実装エリアへの実装強度を向上させるとともに、前記電子部品を保護する液状封止材料であり、
前記収納部は、前記液状封止材料が塗布される空間を構成することを特徴とする請求項６に記載の撮像装置。
【請求項８】
前記基板固定部材は、内部に撮像ユニットを封止するケース部材に対して固定されていることを特徴とする請求項１〜７のいずれか１項に記載の撮像装置。
【請求項９】
前記ケース部材に対して固定されるとともに前記基板が固定された前記基板固定部材を内部に具備する外装部材をさらに有していることを特徴とする請求項８に記載の撮像装置。
【請求項１０】
前記基板の前記第２の部位は、前記第１の部位よりも幅狭に形成されていることを特徴とする請求項１〜９のいずれか１項に記載の撮像装置。
【請求項１１】
請求項１〜１０のいずれか１項に記載の撮像装置が接続自在であることを特徴とする内視鏡。
【発明の詳細な説明】
【技術分野】
【０００１】
本発明は、実装エリアの実装面に搭載部材が設けられた基板と、基板が固定される基板固定部材とを具備する撮像装置、内視鏡に関する。
【背景技術】
【０００２】
撮像装置、例えば、内視鏡に用いられる撮像装置は、被検体内における被検部位の像を撮像するものであり、例えば内視鏡の挿入部の挿入方向基端側（以下、単に基端側と称す）に設けられた接眼部に接続自在な撮像装置の構成が周知である。
【０００３】
また、内視鏡は、使用後、確実に洗浄、消毒及び滅菌する必要がある。内視鏡の滅菌方法としては、内視鏡を、高温高圧蒸気を用いて滅菌する高温高圧蒸気滅菌処理（以下、オートクレーブ処理と称す）が周知である。
【０００４】
ここで、通常、撮像装置を構成する撮像素子や、対物光学系等からなる撮像ユニットは、撮像装置の外装部材内に設けられているが、オートクレーブ処理において、撮像装置内にも高温高圧蒸気が進入する。
【０００５】
この際、撮像ユニットは、高温高圧蒸気に触れると、撮像素子が故障してしまったり、対物光学系が曇ったりしてしまうことから、撮像ユニットは、外装部材内において高温高圧蒸気が進入しない場所に設けられる必要がある。
【０００６】
そこで、特許文献１には、内視鏡の接眼部に装着される撮像装置において、該撮像装置の外装部材内に水密性及び気密性を有するケースを設け、該ケース内に撮像ユニットを封止することにより、撮像装置内に進入した高温高圧蒸気から撮像ユニットを保護する構成が開示されている。
【先行技術文献】
【特許文献】
【０００７】
【特許文献１】特開２０１０−２５３２６７号公報
【発明の概要】
【発明が解決しようとする課題】
【０００８】
ところで、撮像装置の外装部材に、各種内視鏡操作用のスイッチ釦が設けられた構成が周知である。このような構成においては、外装部材内には、外装部材の内面に近接する位置において、スイッチ釦が接触自在なスイッチが基板等に実装されて設けられているのが一般的である。
【０００９】
また、撮像装置の小型化を図るため、上述した特許文献１に示したケース上に、スイッチが実装された基板を固定する構成が考えられる。
【００１０】
さらに、既知のＥＭＣ(Electromagnetic Compatibility)対策のため、基板上に、ノイズフィルタ等の電子部品が実装された構成も周知であり、また、電子部品を保護するため、基板に、絶縁性接着剤等の液状封止材料が塗布された構成も周知である。
【００１１】
ここで、撮像装置の組み立ての際、上述したケース上に、ノイズフィルタ等の電子部品やスイッチ、液状封止材料が設けられた基板が固定されたものを撮像装置の外装部材内に嵌入する際、基板に実装された電子部品や液状封止材料は所定の高さを有するため、外装部材にこれらが接触してしまうことから組み立て性が悪いといった問題がある。
【００１２】
また、ケースに対して基板を確実に固定しないと、外装部材内に嵌入後、基板の位置ずれにより、電子部品や液状封止材料等の搭載部材が外装部材に接触しやすいといった問題があった。
【００１３】
そこで、撮像装置を大型化して、撮像装置の内部空間を大きく確保することにより、外装部材への基板上の搭載部材の接触を回避して組立性を向上させる対策が考えらえるが、これは撮像装置が大型化してしまうため好ましくない。
【００１４】
また、ケースに対して基板を強固に固定するため、ケースに基板を、ネジ等を用いて固定する構成も考えられるが、基板の電子部品等が実装されている箇所は、電子部品の実装密度が高いことから、ネジの固定スペースを確保できないといった問題があった。
【００１５】
本発明は、上記問題点に鑑みなされたものであり、小型化を図りつつ、組み立ての際、外装部材への基板上の搭載部材の接触を回避でき、さらに基板の搭載部材が設けられた部位の位置ずれを確実に防止できる構成を具備する撮像装置、内視鏡を提供することを目的とする。
【課題を解決するための手段】
【００１６】
上記目的を達成するため本発明の一態様における撮像装置は、第１の部位と該第１の部位から延出された第２の部位とを有するとともに前記第２の部位における実装エリアの実装面に搭載部材が設けられた基板と、前記基板が固定される基板固定部材とを具備する撮像装置であって、前記基板固定部材は、前記基板の前記第１の部位が固定される固定部と、前記第２の部位を前記第１の部位の前記固定部への固定面とは反対側の非固定面よりも低く押し下げてクランク状に折り曲げることにより、前記実装エリアの前記実装面を前記非固定面よりも低く位置させるとともに前記第２の部位の位置を固定する基板押し下げ部と、前記実装エリアの前記実装面に設けられた前記搭載部材を収納するとともに、平面視した状態において前記実装エリアを囲む壁部が設けられた収納部と、を有し、前記壁部の頂部は、前記搭載部材よりも高く、前記第１の部位の前記非固定面以下の高さに位置している。
【００１７】
また、本発明の一態様における内視鏡は、請求項１〜１０のいずれか１項に記載の撮像装置が接続自在である。
【発明の効果】
【００１８】
本発明によれば、小型化を図りつつ、組み立ての際、外装部材への基板上の搭載部材の接触を回避でき、さらに基板の搭載部材が設けられた部位の位置ずれを確実に防止できる構成を具備する撮像装置、内視鏡を提供することができる。
【図面の簡単な説明】
【００１９】
【図１】本実施の形態の撮像装置を備えた内視鏡システムの構成の概略を示す図
【図２】図１のカメラヘッドの構成を示す部分断面図
【図３】図２の基板固定部材に基板及びＧＮＤ板が固定されたものを拡大して示す斜視図
【図４】図３中のIV-IV線に沿う基板固定部材、基板の部分断面図
【図５】図３の基板固定部材から基板を分離した状態を示す分解斜視図
【図６】図３のＧＮＤ板を裏面側から示す斜視図
【図７】図５中のVII-VII線に沿う基板固定部材にＧＮＤ板、基板を固定した後の断面を、気密ケース及び外装カバーとともに示す部分断面図
【図８】図３の基板固定部材を気密ケースとともに示す分解斜視図
【図９】図８の気密ケースに図３の基板固定部材を固定した状態を、基板固定部材の第１の貫通孔に基板を挿通しない状態で示す斜視図
【図１０】図８の気密ケースに、図３のＧＮＤ板及び基板が固定された基板固定部材を固定したものを、リヤカバー内に挿入する状態を示す部分断面図
【図１１】図２のカメラヘッドのカプラ部に、内視鏡のアイピースが接続されている状態を示す斜視図
【図１２】図１１のカプラ部とアイピースとの接続部近傍の断面図
【図１３】図１１のカプラ部を拡大して後方側から示す斜視図
【図１４】図２のカプラ部におけるマウント部材の上部内周面に、突起が設けられた構成を示す部分拡大断面図
【図１５】従来のマウント部材の嵌入部の形状をカプラ部とともに示す拡大斜視図
【図１６】図１４のマウント部材の嵌入部の形状をカプラ部とともに示す拡大斜視図
【図１７】図２のスペーサリングからリヤネジを外した状態を示すカメラヘッドの部分断面図
【図１８】図１７のリヤカバーを、図１７中のXVIII方向からみた部分斜視図
【図１９】図１８中のXIX-XIX線に沿うリヤカバーの部分断面図
【図２０】図２の撮像ユニットを示す斜視図
【図２１】図２０の撮像ユニットを、図２０とは異なる方向からみた斜視図
【図２２】図２０中のIIXII-IIXII線に沿う撮像ユニットをリヤケースとともに示す断面図
【図２３】図２のフロントカバーの先端側を、リングを除いて示す部分斜視図
【図２４】図２３のフロントカバーの先端側の溝にリングを装着した状態を示す部分斜視図
【図２５】図２４中のIIXV-IIXV線に沿うフロントカバーの断面図
【図２６】図２４のリングを示す斜視図
【図２７】図２のリヤカバーの基端側を示す部分斜視図
【図２８】図２７のリヤカバーの基端側から、リング及びリヤネジが外された状態を示す部分斜視図
【図２９】図２７のリングを示す斜視図
【図３０】従来のカプラ部の形状を示すカメラヘッドの斜視図
【図３１】従来のカメラヘッドにおける内視鏡が接続される接続部材の構成を示す斜視図
【図３２】本構成のカメラヘッドの接続部材の変形例の構成を示す斜視図
【図３３】図３２中のIIIXIII-IIIXIII線に沿うカメラヘッドの断面図
【図３４】図２０の固定枠に第２の基板のリジット部が固定された状態を拡大して示す斜視図
【発明を実施するための形態】
【００２０】
以下、図面を参照して本発明の実施の形態を説明する。尚、以下に示す実施の形態においては、撮像装置は、内視鏡に接続される撮像装置を例に挙げて説明する。
【００２１】
図１は、本実施の形態の撮像装置を備えた内視鏡システムの構成の概略を示す図である。  
図１に示すように、内視鏡システム１は、内視鏡２と、該内視鏡２に接続自在な撮像装置であるカメラヘッド３と、内視鏡２に照明光を供給する光源装置４と、カメラヘッド３からの撮像信号に対して信号処理等を行うカメラコントロールユニット（ＣＣＵ）５と、該ＣＣＵ５から出力される映像信号を表示するモニタ６とを有して主要部が構成されている。
【００２２】
内視鏡２は、細長な挿入部７と、該挿入部７の基端側に設けられた挿入部７よりも太径の把持部８と、該把持部８の挿入方向Ｓの基端（以下、単に基端と称す）に設けられた接眼部（以下、アイピースと称す）９とを有して主要部が構成されている。
【００２３】
また、内視鏡２の把持部８の側部に設けられている口金に、一端が光源装置４にコネクタ１１を介して着脱自在なライトガイドケーブル１０の他端が接続自在となっている。このことにより、光源装置４内の図示しないランプから発光された光は、ライトガイドケーブル１０を介して、内視鏡２に供給され、挿入部７の挿入方向Ｓの先端（以下、単に先端と称す）に設けられた図示しない照明窓から被検体内に照射される。
【００２４】
照明光によって照明された被検体内の像は、挿入部７の先端に設けられた図示しない対物光学系に光学像が結像され、該結像された光学像は、挿入部７内に設けられた図示しないリレーレンズ等を介して、アイピース９内に設けられたレンズに入射されることから、作業者がアイピース９を介して光学像を観察することができるようになっている。
【００２５】
また、上述したように、内視鏡２のアイピース９に、カメラヘッド３が接続自在である。カメラヘッド３からはカメラケーブル１２が延出されており、該カメラケーブル１２の延出端は、該延出端に設けられたコネクタ１３を介してＣＣＵ５に着脱自在となっている。
【００２６】
ＣＣＵ５は、カメラヘッド３からカメラケーブル１２を介して送信された撮像信号に基づいて画像信号を生成し、被検体内の像を、内視鏡画像としてモニタ６に表示させるものである。
【００２７】
次に、図２を用いて上述したカメラヘッド３の具体的な構成を説明する。図２は、図１のカメラヘッドの構成を示す部分断面図である。
【００２８】
図２に示すように、カメラヘッド３は、カプラ部１５と、該カプラ部１５に先端が固定された外装部１７とを有して主要部が構成されている。
【００２９】
カプラ部１５は、内視鏡２のアイピース９が接続される部材であり、内部にアイピース９を固定する際用いるマウント部材３１を有している。また、マウント部材３１の基端の外周に対して、外装部１７の先端が固定されている。
【００３０】
また、カプラ部１５は、マウント部材３１に対して挿入方向Ｓに直交する高さ方向Ｍに後述するバネ７１（図１１参照）等を介して移動自在となるよう接続されている。尚、カプラ部１５の移動構造及びカプラ部１５のマウント部材３１に対するアイピース９の接続固定構造は後述する。
【００３１】
外装部１７は、フロントカバー１７ａと、該フロントカバー１７ａの基端に接続自在なリヤカバー１７ｂとから主要部が構成されている。フロントカバー１７ａの細径に形成された先端１７ａｋが、マウント部材３１の基端の外周に固定されている。
【００３２】
尚、フロントカバー１７ａとリヤカバー１７ｂとは、パッキン１８を介して水密に接合自在となっている。パッキン１８は、フロントカバー１７ａとリヤカバー１７ｂとの接続部位から外装部１７内への外部からの水等の進入を防止する。
【００３３】
また、フロントカバー１７ａ及びリヤカバー１７ｂの一側面には、高さ方向Ｍに沿って複数の貫通孔が形成されており、該貫通孔には、内視鏡２を操作する用の複数のスイッチ釦１９が嵌入されている。
【００３４】
また、リヤカバー１７ｂの基端には、該リヤカバー１７ｂの先端をフロントカバー１７ａの基端に対してパッキン１８を介して挿入方向Ｓの前方（以下、単に前方と称す）に押し付けて固定する用の後述するリヤネジ５０が、水密用のパッキンを介して当接自在である。
【００３５】
また、外装部１７内には、ケース部材である金属から構成された気密ケース１６が設けられている。
【００３６】
気密ケース１６は、フロントケース１６ａと、該フロントケース１６ａの基端に接続された中間ケース１６ｃと、該中間ケース１６ｃの基端に接続されたリヤケース１６ｂと、該リヤケース１６ｂの基端に固定されたハーメチックコネクタ１６ｄとから主要部が構成されている。
【００３７】
尚、フロントケース１６ａの先端側は、フロントカバー１７ａの先端側の内周面及びマウント部材３１の基端の内周面に対して固定されている。また、ハーメチックコネクタ１６ｄは、リヤケース１６ｂに対して溶接等によって固定されている。
【００３８】
気密ケース１６と外装部１７との間であって、気密ケース１６の上面に、基板固定部材２０が、位置精度良く固定されており、該基板固定部材２０の上面には、基板２２が固定されている。
【００３９】
基板２２の実装面となる上面には、複数のスイッチ釦１９に対向する位置に、該スイッチ釦１９が接触自在となるよう複数のスイッチ２１が設けられている。尚、基板固定部材２０と基板２２の詳しい構成は後述する。
【００４０】
気密ケース１６の内部には、撮像ユニット１００が設けられている。具体的には、気密ケース１６の内部には、複数のレンズ３０を保持するレンズ枠５１と、プリズム４３と、複数の撮像素子３３と、各種基板等の電気部品等が設けられている。
【００４１】
より具体的には、フロントケース１６ａの先端には、観察窓３０ａが固定されている。観察窓３０ａは、カメラヘッド３のカプラ部１５に、内視鏡２のアイピース９が接続された際、アイピース９内のレンズに対して、挿入方向Ｓにおいて対向して位置する。
【００４２】
また、気密ケース１６の内部において、観察窓３０ａの挿入方向の後方（以下、単に後方と称す）に、レンズ枠５１によって保持された複数のレンズ３０が設けられており、該複数のレンズ３０の結像位置に、プリズム枠１４３によって保持されたプリズム４３が位置しており、該プリズム４３の出射面に対向する位置に、ＣＣＤ等の、例えば３つの撮像素子３３が位置している。
【００４３】
尚、各撮像素子３３は、撮像素子基板３２にそれぞれ固定されており、また、プリズム枠１４３及び撮像素子基板３２は、気密ケース１６内に設けられた後述する固定枠８０（図２０参照）に対して固定されている。また、レンズ枠５１の基端側及び後述する固定枠８０（図２０参照）の先端側は、中間ケース１６ｃの内周面に対して固定されている。
【００４４】
また、気密ケース１６内において、３つの撮像素子３３の後方に、第１の基板３５及び第２の基板３８が位置している。
【００４５】
第１の基板３５及び第２の基板３８は、後述する固定枠８０（図２０参照）に固定されている。尚、第２の基板３８は、リジット部３８ａとフレキシブル部３８ｂ、３８ｃとから主要部が構成されている。即ち、第２の基板３８は、リジットフレキシブル基板から構成されている。
【００４６】
第１の基板３５からは、フレキシブル基板３４が延出されており、該延出端は、後述する固定枠８０（図２０参照）に固定された接続コネクタ１３８に電気的に接続されている。
【００４７】
また、第２の基板３８のリジット部３８ａからもフレキシブル部３８ｃが延出されており、該延出端が接続コネクタ１３８に電気的に接続されている。また、接続コネクタ１３８には、各撮像素子基板３２が電気的に接続されている。
【００４８】
第１の基板３５は、例えば、撮像素子３３を駆動するために用いられる基板であり、また、第２の基板３８は、例えば、映像信号をデジタル信号に変換して伝送するためのＡ／Ｄ変換用の基板である。
【００４９】
第２の基板３８において、フレキシブル部３８ｂの端部は、コネクタ３９に電気的に接続されている。
【００５０】
ハーメチックコネクタ１６ｄは、底部と該底部の外周縁部から後方に延出する円筒部とから主要部が構成されており、底部には、挿入方向Ｓに沿って底部を貫通する導電ピン４２が複数設けられている。
【００５１】
これにより、底部の先端側の面に設けられた基板１２０と底部の基端側の面に設けられた円筒部内に位置する基板４５とは、導電ピン４２によって電気的に接続されている。尚、基板１２０は、コネクタ３９に電気的に接続されている。
【００５２】
また、導電ピン４２には、上述した基板２２の後述する第２の部位２２ｂ（図３参照）の端部が電気的に接続されている。即ち、基板２２と基板４５とは、ハーメチックコネクタ１６ｄ内において、半田付け等によって固定されている。
【００５３】
また、ハーメチックコネクタ１６ｄの基端に、ケーブルコネクタ４１の先端が固定されている。ケーブルコネクタ４１の基端に、スペーサリング１７９が固定されており、スペーサリング１７９の内周面には、カメラケーブル１２の先端が接続されている。
【００５４】
カメラケーブル１２の内部には、図示しない複数の電気コードが収納されており、該電気コードの先端は、ケーブルコネクタ４１内まで延出され、基板４５に電気的に接続されている。
【００５５】
また、カメラケーブル１２の外周面には、カメラケーブル１２の急激な屈曲を防止する折れ止め４４が被覆されている。また、折れ止め４４の外周には、上述したリヤネジ５０が移動自在に被覆されている。
【００５６】
さらに、スペーサリング１７９の外周面には、雄ネジが形成されており、該雄ネジに、リヤネジ５０の雌ネジが螺合自在となっている。
【００５７】
スペーサリング１７９の雄ネジにリヤネジ５０の雌ネジを螺合すると、リヤネジ５０は前進することから、リヤネジ５０が当接するリヤカバー１７ｂを前方に押圧することにより、フロントカバー１７ａの基端に対して、パッキン１８を押し潰しながら、リヤカバー１７ｂの先端が前方に付勢力を以て当接する。このことにより、当該部位の水密性が確保される。また、当然、リヤカバー１７ｂの基端とリヤネジ５０との間のパッキンも潰れることにより、該部位における水密性が確保される。
【００５８】
次に、気密ケース１６の上面に固定される基板固定部材２０、基板固定部材２０に固定される基板２２の構造について、図３〜図１０を用いて説明する。
【００５９】
図３は、図２の基板固定部材に基板及びＧＮＤ板が固定されたものを拡大して示す斜視図、図４は、図３中のIV-IV線に沿う基板固定部材、基板の部分断面図、図５は、図３の基板固定部材から基板を分離した状態を示す分解斜視図、図６は、図３のＧＮＤ板を裏面側から示す斜視図、図７は、図５中のVII-VII線に沿う基板固定部材にＧＮＤ板、基板を固定した後の断面を、気密ケース及び外装カバーとともに示す部分断面図である。
【００６０】
また、図８は、図３の基板固定部材を気密ケースとともに示す分解斜視図、図９は、図８の気密ケースに図３の基板固定部材を固定した状態を、基板固定部材の第１の貫通孔に基板を挿通しない状態で示す斜視図、図１０は、図８の気密ケースに、図３のＧＮＤ板及び基板が固定された基板固定部材を固定したものを、リヤカバー内に挿入する状態を示す部分断面図である。
【００６１】
図３に示すように、基板２２は、基板固定部材２０に固定されるものであり、第１の部位２２ａと、該第１の部位２２ａから後方に延出された第２の部位２２ｂとから主要部が構成されている。
【００６２】
尚、基板２２は、少なくとも第２の部位２２ｂがフレキシブル基板から構成されていれば良いが、第１の部位２２ａもフレキシブル基板から構成されていても構わない。即ち、基板２２自体がフレキシブル基板から構成されていても構わない。
【００６３】
また、基板２２の第２の部位２２ｂは、第１の部位２２ａよりも、挿入方向Ｓ及び高さ方向Ｍに直交する幅方向Ｎにおいて、幅狭に形成されている。
【００６４】
また、図３に示すように、基板２２の第２の部位２２ｂにおいて、実装エリアＡにおける実装面２２ｂｊに、搭載部材である電子部品１５１が実装されている。尚、電子部品１５１としては、上述したノイズフィルタ等が挙げられる。
【００６５】
基板固定部材２０は、例えば樹脂から構成されており、基板２２が固定されるとともに、気密ケース１６の上面に対して固定されるものであり、図３、図５、図８、図９に示すように、固定部２０ａと、基板押し下げ部２０ｂと、収納部２０ｃとから主要部が構成されている。
【００６６】
固定部２０ａは、基板２２の第１の部位２２ａが固定される部位であり、挿入方向Ｓにおいて、前半部よりも後半部が、幅方向Ｎにおいて幅広に形成されているとともに、第１の部位２２ａと略同じ外形形状に形成されている。
【００６７】
また、図３、図５、図８、図９に示すように、固定部２０ａの両側面において、挿入方向Ｓにおける後半部の先端側には、幅方向Ｎの外側に張り出す張り出し部５６が形成されている。
【００６８】
張り出し部５６は、気密ケース１６に基板固定部材２０を固定した状態において外装部１７内に嵌入された際、リヤカバー１７ｂの内周面に当接することにより、リヤカバー１７ｂに対して基板固定部材２０が幅方向Ｎに移動してしまうのを防止するものである。
【００６９】
また、図８に示すように、固定部２０ａの底面に、高さ方向Ｍにおいて気密ケース１６側に延出する突起１７１が、例えば２本形成されている。
【００７０】
突起１７１は、気密ケース１６の上面に形成された有底穴１６ｘに嵌入することにより、気密ケース１６に対する基板固定部材２０の位置決めを行う他、リヤカバー１７ｂを外した際、リヤカバー１７ｂとともに、気密ケース１６の上面から基板固定部材２０が外れてしまうのを防ぐ部材である。
【００７１】
さらに、図３、図５、図８に示すように、固定部２０ａの底面において、突起１７１よりも後方位置に、高さ方向Ｍにおいて気密ケース１６側に突出する例えば２本の凸部１７０が形成されている。尚、凸部１７０の突出高さは、リヤケース１６ｂの上面に形成された後述する段部Ｄの高さ以下に形成されている。
【００７２】
凸部１７０は、気密ケース１６に基板固定部材２０を固定した状態において、外装部１７内に嵌入された際、基板押し下げ部２０ｂの基端面２０ｂｋ（図８参照）がリヤカバー１７ｂの内周面によって前方に押圧されることにより、リヤケース１６ｂの上面に形成された段部Ｄに先端側の面が接触する。このことにより、気密ケース１６に対する基板固定部材２０の挿入方向Ｓにおける位置決めが行われる。
【００７３】
また、図３、図５、図８、図９に示すように、固定部２０ａの上面において、先端及び基端に、幅方向Ｎに沿って、高さ方向Ｍにおいて気密ケース１６とは反対側に起立する土手部５３がそれぞれ形成されている。
【００７４】
土手部５３は、基板固定部材２０に基板２２が固定された状態において、図１０に示すように、リヤカバー１７ｂ内に挿入する際、リヤカバー１７ｂの内周面に、固定部２０ａに固定された基板２２の第１の部位２２ａが接触してしまうことを防ぐ部材である。
【００７５】
また、図３、図５〜図９に示すように、固定部２０ａの上面において、挿入方向Ｓの前半部に、高さ方向Ｍにおいて、気密ケース１６とは反対側に起立する２本の突起５４が形成されているとともに、固定部２０ａの上面における挿入方向Ｓの後半部に、高さ方向Ｍにおいて、気密ケース１６とは反対側に突起５４よりも高く起立する２本の突起５５が形成されている。
【００７６】
各突起５４、５５は、気密ケース１６に基板固定部材２０を固定した状態において、外装部１７内に嵌入された際、突起５４の頂面５４ｓ（図３参照）がフロントカバー１７ａの内周面に当接するとともに、突起５５の頂面５５ｓ（図３参照）もリヤカバー１７ｂの内周面に当接することにより、基板固定部材２０の外装部１７に対する高さ方向Ｍの位置を固定するものである。
【００７７】
さらに、図５に示すように、固定部２０ａの上面において、先端部、基端部、及び中央部における幅方向Ｎの各端部に、ネジ孔２０ａｈがそれぞれ形成されている。
【００７８】
また、図５に示すように、固定部２０ａの上面に、気密ケース１６とは反対側に突起５４よりも低く起立する複数の凸部１４４が形成されている。
【００７９】
さらに、図８に示すように、固定部２０ａにおいて、先端部、基端部、及び中央部に、高さ方向Ｍに貫通する複数の貫通孔２０ａｓがそれぞれ形成されている。
【００８０】
また、図３、図５、図７に示すように、固定部２０ａの上面には、固定部２０ａと基板２２の第１の部位２２ａとの間に挟み込まれるＧＮＤ板５７が固定される。尚、ＧＮＤ板５７は、外形形状が固定部２０ａと略同じ形状に形成されている。
【００８１】
ＧＮＤ板５７は、金属の板状部材から形成されており、図５、図６に示すように、固定部２０ａの複数の凸部１４４が嵌入する複数の孔５７ｊと、突起５４、５５が貫通する高さ方向Ｍに貫通する孔５７ｉと、ネジ孔２０ａｈに対向する高さ方向Ｍに貫通する複数の孔５７ｈが形成されている。
【００８２】
尚、孔５７ｊに凸部１４４が嵌入し、孔５７ｉに突起５４、５５が貫通することにより、固定部２０ａに対してＧＮＤ板５７が位置決めされる。このことにより、ネジ孔２０ａｈに対して孔５７ｈは対向して位置するとともに、後述する複数のフィンガ部６６（図６参照）は、貫通孔２０ａｓに対向して位置する。
【００８３】
また、凸部１４４は、孔５７ｊに嵌入後、基板２２の第１の部位２２ａに形成されたスイッチ２１に対向して位置することにより、スイッチ２１がスイッチ釦１９によって押下されたとしても、スイッチ２１は樹脂から形成された凸部１４４に接触することから、ＧＮＤ板５７に接触してしまうことが無い。即ち、スイッチ２１がＧＮＤ板５７に接触することに起因するショートを防止することができる。
【００８４】
また、ＧＮＤ板５７は、図５〜図７に示すように、底面から高さ方向Ｍにおいて気密ケース１６側に延出する複数本の金属から形成されたフィンガ部６６を有している。
【００８５】
フィンガ部６６は、固定部２０ａに形成された複数の貫通孔２０ａｓを介して、固定部２０ａの底面よりも高さ方向Ｍにおいて気密ケース１６側に延出するものであり、金属から構成された気密ケース１６の上面に接触することによって、ＧＮＤ板５７に導通する基板２２の第１の部位２２ａのＧＮＤを接地して、上述したＥＭＣ対策を図るものである。尚、気密ケース１６は、カメラケーブル１２を介して接地されている。
【００８６】
尚、フィンガ部６６は、後述するネジが貫通される孔５７ｊの近傍に設けられていることにより、フィンガ部６６形成に伴うＧＮＤ板５７の変形が防止されている。
【００８７】
ここで、基板２２の第１の部位２２ａには、突起５４、５５が貫通する高さ方向Ｍに貫通する孔２２ａｉと、ネジ孔２０ａｈ、孔５７ｈに対向する複数の孔２２ａｈが高さ方向Ｍに貫通するように複数形成されている。
【００８８】
尚、孔２２ａｉに突起５４、５５に貫通することにより、固定部２０ａ、ＧＮＤ板５７に対して第１の部位２２ａの位置決めがなされる。このことにより、ネジ孔２０ａｈ、孔５７ｈに対して孔２２ａｈは対向して位置する。
【００８９】
また、図示しないネジが、孔２２ａｈ、孔５７ｈを介してネジ孔２０ａｈに螺合固定されることにより、第１の部位２２ａの固定面２２ａｃにおけるＧＮＤは、ＧＮＤ板５７に密着することによりＧＮＤ板５７に導通するとともに、固定部２０ａに対して、第１の部位２２ａ及びＧＮＤ板５７が固定される。
【００９０】
この際、上述したように、突起５４、５５により、第１の部位２２ａ及びＧＮＤ板５７は、固定部２０ａに対して位置精度良く固定される。
【００９１】
また、基板２２の第１の部位２２ａには、上述した複数のスイッチ２１が、高さ方向Ｍの上方に凸設されている。尚、各スイッチ２１は、上述したように、第１の部位２２ａ及びＧＮＤ板５７が、固定部２０ａに対して位置精度良く固定され、基板固定部材２０が、気密ケース１６の上面に対して位置精度良く固定されることから、スイッチ釦１９に対向して精度良く位置する。
【００９２】
また、図３、図５に示すように、基板押し下げ部２０ｂは、基板２２の延在方向と一致する挿入方向Ｓにおいて、固定部２０ａの基端に隣接して位置しており、基板固定部材２０において、高さ方向Ｍに貫通して形成された第１の貫通孔５８と、該第１の貫通孔５８によって基板固定部材２０に形成された第１の貫通孔５８の基端側の縁部６０とから主要部が構成されている。
【００９３】
基板押し下げ部２０ｂは、基板２２の第２の部位２２ｂを、第１の部位２２ａの固定面２２ａｃとは反対側の非固定面となる上面２２ａｔよりも低く押し下げて、図３に示すようにクランク状に折り曲げることにより、実装エリアＡの実装面２２ｂｊを、上面２２ａｔよりも低く位置させるとともに、第２の部位２２ｂの位置を固定するものである。
【００９４】
具体的には、図３〜図５に示すように、基板２２の第２の部位２２ｂが、第１の貫通孔５８に挿通されることにより、図４に示すように、実装面２２ｂｊが接触する縁部６０の底部６０ｔによって、第２の部位２２ｂが第１の部位２２ａの上面２２ａｔよりも押し下げられてクランク状に折り曲げられる。
【００９５】
この際、底部６０ｔに実装面２２ｂｊが弾性力を以て接触することにより、第２の部位２２ｂの挿入方向Ｓにおける位置が固定される。
【００９６】
尚、第２の部位２２ｂは、基板押し下げ部２０ｂによって押し下げられた後、実装エリアＡが、図３、図４に示すように収納部２０ｃに位置する。
【００９７】
収納部２０ｃは、実装エリアＡの実装面２２ｂｊに実装された電子部品１５１を収納するとともに、平面視した状態で、実装エリアＡを囲む壁部５２を有する。
【００９８】
具体的には、収納部２０ｃは、基板固定部材２０において、第１の貫通孔５８の基端に縁部６０を介して隣接して形成された、基板固定部材２０を高さ方向Ｍに沿って貫通する第２の貫通孔５９と、該第２の貫通孔５９によって基板固定部材２０に形成された第２の貫通孔５９を囲む壁部５２とから主要部が構成されている。尚、先端側に位置する壁部５２は、上述した基板押し下げ部２０ｂを構成する縁部６０を兼ねている。
【００９９】
尚、収納部２０ｃにおいて、基板２２の第２の部位２２ｂにおける実装面２２ｂｊは、図４に示すように、壁部５２の底部５２ｔに弾性力を以て接触して位置していることにより、実装エリアＡにおいて、実装面２２ｂｊに実装された電子部品１５１は、第２の貫通孔５９を介して高さ方向Ｍの上方に露出している。
【０１００】
また、この状態において、図４に示すように、第２の部位２２ｂに収納部２０ｃに位置する部位の裏面は、補強板６２によって、気密ケース１６の上面に固定されていても構わない。
【０１０１】
補強板６２は、第２の部位２２ｂの実装エリアＡにおける実装面２２ｂｊに、電子部品１５１を実装しやすくするため、第２の部位２２ｂの実装エリアの湾曲を防止するものである。
【０１０２】
さらに、図４に示すように、電子部品１５１を保護する目的に加え、実装面２２ｂｊへの電子部品１５１の実装強度を向上させる目的から、収納部２０ｃの第２の貫通孔５９の空間Ｋに、搭載部材である液状封止材料６１が塗布されていても構わない。
【０１０３】
尚、空間Ｋは、壁部５２によって覆われていることから、空間Ｋに液状封止材料６１を塗布する際、塗布しやすいばかりか、液状封止材料６１を壁部５２の頂部５２ｊよりも高さ方向Ｍに低く塗布しやすい。
【０１０４】
また、図４に示すように、空間Ｋに塗布された液状封止材料６１上に、頂部５２ｊよりも高さ方向Ｍに高くならなければ、蓋体６３が載置されていても構わない。
【０１０５】
また、図８に示すように、収納部２０ｃの基端の壁部５２の底部側には、第２の部位２２ｂを後方に引き出す用の切り欠き２０ｃｋが形成されている。
【０１０６】
また、図４に示すように、壁部５２の頂部５２ｊは、壁部５２の底部５２ｔに第２の部位２２ｂの実装面２２ｂｊが接触して収納部２０ｃに電子部品１５１が収納されている状態において、電子部品１５１及び液状封止材料６１、蓋体６３の上面よりも高さ方向Ｍにおいて高く、さらに、第１の部位２２ａの上面２２ａｔ以下の高さに位置している。
【０１０７】
このことにより、図１０に示すように、基板固定部材２０に基板２２が固定された状態において、リヤカバー１７ｂ内に挿入する際、リヤカバー１７ｂの内周面には、壁部５２の頂部５２ｊが接触することがあっても、電子部品１５１や液状封止材料６１が接触することがないため、電子部品１５１や液状封止材料６１が破損してしまったり、接触に伴い、リヤカバー１７ｂ内への挿入性が低下してしまったりすることがない。
【０１０８】
このように、本実施の形態においては、基板固定部材２０の固定部２０ａに基板２２の第１の部位２２ａがネジによって固定された状態において、基板２２における電子部品１５１が実装エリアＡに実装された第２の部位２２ｂが、基板２２に形成された第１の貫通孔５８に挿通されることにより、第２の部位２２ｂは、クランク状に折り曲げられて、第１の部位２２ａの上面２２ａｔより高さ方向Ｍにおいて低く位置するとともに、第２の部位２２ｂが、縁部６０の底部６０ｔに弾性力を以て接触することにより、第２の部位２２ｂの挿入方向Ｓにおける位置が固定されると示した。
【０１０９】
また、収納部５０ｃにおいて、電子部品１５１を囲む壁部５２の頂部５２ｊは、基板２２の第１の部位２２ａの上面２２ａｔよりも高さ方向Ｍにおいて低く位置するとともに、電子部品１５１や液状封止材料６１よりも高さ方向Ｍにおいて高く位置すると示した。
【０１１０】
このことによれば、カメラヘッド３の組み立て時において、図１０に示すように、リヤカバー１７ｂ内に、後方に向かって気密ケース１６の上面に固定された、基板２２が固定された基板固定部材２０を挿入していく際、リヤカバー１７ｂの内周面には、壁部５２の頂部５２ｊが接触することがあっても、電子部品１５１や液状封止材料６１が接触してしまうことは無い。
【０１１１】
さらには、電子部品１５１や液状封止材料６１は、周囲が壁部５２によって覆われているため、これら搭載部材に対して外部からの接触を壁部５２が防ぐことができる。
【０１１２】
よって、電子部品１５１や液状封止材料６１等の搭載部材が破損してしまうことが無い他、これら搭載部材のリヤカバー１７ｂへの接触に伴い、組み立て性が低下してしまうことが無い。さらには、リヤカバー１７ｂへの電子部品１５１や液状封止材料６１の接触を避けるため、リヤカバー１７ｂの内部空間を大きく確保する目的からリヤカバー１７ｂを大型化する必要がない。
【０１１３】
また、縁部６０の底部６０ｔへの接触により、ネジを用いずに、容易に第２の部位２２ｂの実装エリアＡにおける挿入方向Ｓの位置を固定することができる。
【０１１４】
以上から、小型化を図りつつ、組み立ての際、外装部１７への基板２２上の搭載部材の接触を回避でき、さらに基板２２の実装エリアＡの位置ずれを確実に防止できる構成を具備するカメラヘッド３及び、該カメラヘッド３が接続される内視鏡２を提供することができる。
【０１１５】
尚、本実施の形態においては、カメラヘッド３は、内視鏡２が接続自在なものを例に挙げて示したが、内視鏡以外のものに用いるカメラヘッドにも適用可能なことは云うまでもない。
【０１１６】
図１１は、図２のカメラヘッドのカプラ部に、内視鏡のアイピースが接続されている状態を示す斜視図、図１２は、図１１のカプラ部とアイピースとの接続部近傍の断面図、図１３は、図１１のカプラ部を拡大して後方側から示す斜視図である。
【０１１７】
ところで、上述したように、カメラヘッド３のカプラ部１５には、内視鏡２のアイピース９が接続自在である。
【０１１８】
この接続構造を簡単に説明すると、図１２に示すように、カプラ部１５内に設けられたマウント部材３１の上部には、幅方向Ｎの端部において、それぞれ高さ方向Ｍに貫通する貫通孔３１ｖが形成されており、該貫通孔３１ｖには、図１１、図１２に示すように、一端がカプラ部１５の高さ方向Ｍの上側部位に固定され、他端がカプラ部１５の高さ方向Ｍの下側部位１５ｎｔ（図１３参照）に固定された心棒７０が挿通されている。
【０１１９】
これにより、上述したように、マウント部材３１は、フロントカバー１７ａの先端１７ａｋに固定されていることから、マウント部材３１に対して、カプラ部１５が高さ方向Ｍの上下に移動自在となっている。
【０１２０】
また、心棒７０の外周において、カプラ部１５の下側部位１５ｎｔと、マウント部材３１の上部との間には、高さ方向Ｍに沿って細長なバネ７１が挿通されている。尚、バネ７１は、上端がマウント部材３１の上部に固定され、下端がカプラ部１５の下側部位１５ｎｔに固定されていることにより、常にカプラ部１５を、図示しないストッパ部によって規制される長さまで押し上げている。
【０１２１】
よって、カプラ部１５にアイピース９を接続する際は、カプラ部１５を高さ方向Ｍの下方に押し下げることにより、バネ７１の伸張力に抗して高さ方向Ｍに沿ってバネ７１を圧縮させ、カプラ部１５の高さ方向Ｍに細長な円の開口１５ｉ（図１３参照）を介して、アイピース９をマウント部材３１の嵌入部３１ｗ（図１２参照）に嵌入させ、その後、カプラ部１５から手を離すと、開口１５ｉの下側に位置するアイピース９への接触面１５ｑが、アイピース９に接触し、バネ７１の伸張力を利用して、接触面１５ｑがアイピース９をマウント部材３１の上部に押し付けることによりアイピース９は固定されるのである。
【０１２２】
尚、マウント部材３１の上部においてアイピース９が接触する部位や接触面１５ｑは、アイピース９に沿った形状に形成されている。
【０１２３】
ここで、内視鏡２にカメラヘッド３を接続して被検体内の内視鏡観察を行う際、観察視野を変えるため、挿入部７、即ち、アイピース９を、該アイピース９がカプラ部１５に接続固定された状態のまま回転させることがある。
【０１２４】
しかしながら、マウント部材３１は金属から形成されているため、アイピース９が回転しても摩耗は少ないが、カプラ部１５は樹脂から構成されているため、アイピース９が接触する接触面１５ｑは、回転に伴い摩耗してしまうといった問題があった。
【０１２５】
このような問題に鑑み、本構成においては、図１２に示すように、カプラ部１５において、アイピース９の固定状態においてアイピース９が接触する接触面１５ｑが曲面形状に形成されている。
【０１２６】
このことによれば、固定状態において、曲面形状を有するアイピース９が回転したとしてもアイピース９は、曲面形状を有する接触面１５ｑに接触したまま滑らかに回転するため、接触面１５ｑが摩耗してしまうことを低減することができる。
【０１２７】
図１４は、図２のカプラ部におけるマウント部材の上部内周面に、突起が設けられた構成を示す部分拡大断面図、図１５は、従来のマウント部材の嵌入部の形状をカプラ部とともに示す拡大斜視図、図１６は、図１４のマウント部材の嵌入部の形状をカプラ部とともに示す拡大斜視図である。
【０１２８】
ところで、カプラ部１５におけるマウント部材３１のアイピース９の嵌入部３１ｗは、アイピース９の径と同径に形成されていることが好ましい。また、アイピース９の外形が円形を有している場合には、図１５に示すように、嵌入部３１ｗの外形形状も円形に形成されていることが好ましい。
【０１２９】
ここで、カプラ部１５にアイピース９が接続されている状態において、アイピース９が回転されたり、内視鏡２の挿入部７に対して、挿入部７の先端が被検体に接触したりする等により煽られるような力が付与されると、カプラ部１５、即ち嵌入部３１ｗに対してアイピース９が傾いて（折れて）しまい、それに伴い発生する乱反射等によって、配線等が撮像素子３３に映り込んでしまうといった問題があった。
【０１３０】
そこで、図１４に示すように、本構成においては、マウント部材３１の上部内周面３１ｎの先端側に、高さ方向Ｍの下方に突出する突起７５が形成されている。
【０１３１】
また、突起７５が上部内周面３１ｎに形成されていると、嵌入部３１ｗがアイピース９と同じ径だと突起７５が邪魔となり、嵌入部３１ｗにアイピース９が嵌入し難いはずである。
【０１３２】
よって、本構成においては、図１４に示すように、突起７５を避けて、嵌入部３１ｗに対してアイピース９が斜めから挿入しやすいよう、嵌入部３１ｗの径が、アイピース９の径よりもＢだけ大きく形成されている。
【０１３３】
このことから、嵌入部３１ｗの外形形状は、図１６に示すように、図１５よりも高さ方向Ｍにおいて細長な略楕円形状に形成されている。
【０１３４】
このような構成によれば、カプラ部１５にアイピース９が接続されている状態において、アイピース９が回転されたり、内視鏡２の挿入部７に対して、挿入部７の先端が被検体に接触したりする等により煽られるような力が付与されたとしても、突起７５がアイピース９の先端側に接触することから、アイピース９が傾いてしまうことがない他、嵌入部３１ｗからアイピース９が外れてしまうことがない。即ち、突起７５は、アイピース９の折れ止めとして機能する。
【０１３５】
図１７は、図２のスペーサリングからリヤネジを外した状態を示すカメラヘッドの部分断面図、図１８は、図１７のリヤカバーを、図１７中のXVIII方向からみた部分斜視図、図１９は、図１８中のXIX-XIX線に沿うリヤカバーの部分断面図である。
【０１３６】
ところで、上述したように、スペーサリング１７９の外周面には、雄ネジが形成されており、該雄ネジに、リヤネジ５０の雌ネジが螺合することにより、図１７に示すように、リヤネジ５０は方向Ｐに前進することから、リヤネジ５０が当接するリヤカバー１７ｂの基端を方向Ｐにおいて押圧することにより、リヤカバー１７ｂの形状により方向Ｐの力は挿入方向Ｓに平行な方向Ｑの力に変換され、フロントカバー１７ａの基端に対して、パッキン１８を挿入方向Ｓの前方に押し潰しながらリヤカバー１７ｂの先端が挿入方向Ｓにおいて前方に付勢力を以て当接する。
【０１３７】
このことによって、フロントカバー１７ａに対してリヤカバー１７ｂは組み立てられるが、仮にリヤカバー１７ｂの基端内において、リヤカバー１７ｂの基端に対してスペーサリング１７９が傾いて位置し、その傾いたスペーサリング１７９の雄ネジにリヤネジ５０の雌ネジが螺合されてしまうと、リヤネジ５０によってリヤカバー１７ｂの基端を押圧する方向が方向Ｐから傾いてしまう。このため、フロントカバー１７ａの基端をリヤカバー１７ｂの先端によって押圧する力の方向も、外装部１７の周方向によって異なってしまうことから、パッキン１８の潰れ方が外装部１７の周方向において不均一になってしまい、フロントカバー１７ａの基端とリヤカバー１７ｂの先端との間の水密を十分確保できないといった問題があった。
【０１３８】
よって、リヤカバー１７ｂの基端に対して、スペーサリング１７９を平行に配置する必要がある。
【０１３９】
このような事情に鑑み、本構成においては、図２、図１７〜図１９に示すように、リヤカバー１７ｂの基端の内周面における高さ方向Ｍの下側に、リヤカバー１７ｂの基端に対して、ケーブルコネクタ４１を平行に位置させる、例えば２つの突起７５が設けられている。
【０１４０】
詳しくは、突起７５は、ケーブルコネクタ４１を、高さ方向Ｍの上方に押し上げることにより、ケーブルコネクタ４１をリヤカバー１７ｂの基端に対して平行となるよう位置させる。
【０１４１】
このことによれば、ケーブルコネクタ４１の基端に固定されたスペーサリング１７９もリヤカバー１７ｂの基端に対して平行に位置することから、スペーサリング１７９の雄ネジに対して、リヤネジ５０の雌ネジを方向Ｐにおいて真っ直ぐ固定することができる。
【０１４２】
このことから、方向Ｐにおいてリヤカバー１７ｂの基端をリヤネジ５０によって押圧する力は、方向Ｑにおいて、リヤカバー１７ｂの先端を前方に移動させる力に確実に変換されることから、パッキン１８は、外装部１７の周方向において均一に潰れるため、フロントカバー１７ａの基端とリヤカバー１７ｂの先端との間の水密を確実に確保することができる。
【０１４３】
図２０は、図２の撮像ユニットを示す斜視図、図２１は、図２０の撮像ユニットを、図２０とは異なる方向からみた斜視図、図２２は、図２０中のIIXII-IIXII線に沿う撮像ユニットをリヤケースとともに示す断面図である。
【０１４４】
上述したように、撮像ユニット１００は、気密ケース１６（図２参照）内に設けられているが、撮像ユニット１００を構成する撮像素子３３は、駆動に伴い発熱する。
【０１４５】
しかしながら、撮像素子３３は気密ケース１６内に設けられているため、駆動に伴い気密ケース１６内の雰囲気が撮像素子３３からの熱により熱されてしまい、その結果、撮像素子３３が動作保証温度よりも熱されてしまう場合があった。よって、撮像素子３３の熱を、適切に放熱できる構成が望まれていた。
【０１４６】
そこで、本構成においては、金属から構成されたレンズ枠５１の基端に対して、図２０〜図２２に示すように、撮像素子３３の前方側、高さ方向Ｍの底面側及び幅方向Ｎの両側部側を部分的に覆う、幅方向Ｎの側面側から平面視した形状がＬ字状であって、高さ方向Ｍの上方から平面視した形状が上向きのコの字型の金属から構成された第１の放熱板７８が固定された構成を有している。また、第１の放熱板７８の基端には、第１の基板３５及び第２の基板３８の高さ方向Ｍの底面側及び幅方向Ｎの両側部側を部分的に覆う、高さ方向Ｍの上方から平面視した形状が上向きのコの字型の金属から構成された第２の放熱板７９が接続された構成を有している。
【０１４７】
尚、プリズム４３を保持するプリズム枠１４３及び撮像素子基板３２は、上述したように、気密ケース１６内に設けられた、図２０、図２１に示すように固定枠８０に対して固定されているが、第２の放熱板７９は、固定枠８０に対して固定されている。
【０１４８】
また、第２の放熱板７９の基端側に形成された複数本のフィンガ部７９ｆは、図２２に示すようにリヤケース１６ｂに接触している。
【０１４９】
このような構成によれば、撮像素子３３の熱は、固定枠８０を介して、第２の放熱板７９に伝達され、その後、第２の放熱板７９に接触するリヤケース１６ｂ及び第１の放熱板７８に伝達され、その後、第１の放熱板７８に接触するレンズ枠５１に伝達される。
【０１５０】
即ち、放熱面積が大きくなることから、広範囲に渡って均一に放熱が行えるため、撮像素子３３の放熱性を向上させることができる。
【０１５１】
図２３は、図２のフロントカバーの先端側を、リングを除いて示す部分斜視図、図２４は、図２３のフロントカバーの先端側の溝にリングを装着した状態を示す部分斜視図、図２５は、図２４中のIIXV-IIXV線に沿うフロントカバーの断面図、図２６は、図２４のリングを示す斜視図である。
【０１５２】
ところで、図２４に示すように、フロントカバー１７ａの先端側において、カプラ部１５のマウント部材３１が接続される先端１７ａｋよりも基端側に、カメラヘッド３の外観を向上させるため、例えば社名等の文字８７等が記載されたリング８４が装着されていても良い。尚、リング８４は、装着後、外装部１７の一部を構成する。
【０１５３】
リング８４は、図２３、図２５に示すように、フロントカバー１７ａの先端側の外周において周方向に沿って形成された溝８２に対して嵌合されることにより装着される。
【０１５４】
しかしながら、フロントカバー１７ａの先端側に対してリング８４をビス等で固定しようとすると、大型化してしまう他、リング８４の固定部位における洗浄性が悪いといった問題があった。
【０１５５】
そこで、本構成においては、図２５、図２６に示すように、リング８４の内周面には、周方向の全周に亘って溝８２に嵌合される爪部８４ｔが形成されており、爪部８４ｔが溝８２に嵌合されることにより、リング８４がフロントカバー１７ａの先端側の外周に固定される構成を有している。
【０１５６】
尚、爪部８４ｔの径方向の内径は、溝８２の径方向の外径と略同じに形成されている。即ち、リング８４の装着後、溝８２からリング８４が径方向外側に外れてしまうことは無い。
【０１５７】
また、爪部８４ｔは、図２５に示すように、基端側に傾斜面８４ｋが形成されている。このことによれば、フロントカバー１７ａの先端側に対して、前方からリングを装着する際、傾斜面８４ｋは、接触するフロントカバー１７ａの先端側に対して滑りながら移動することから、リング８４を溝８２に容易に嵌入させることができる。
【０１５８】
また、溝８２にリング８４の爪部８４ｔが嵌入した後は、爪部８４ｔが溝８２に引っ掛かるため、リング８４を前方に引っ張っても、溝８２からリング８４が外れてしまうことがない。
【０１５９】
このことによれば、簡単な構成にてリング８４の脱落を防げるとともに、リング８４の組立バラツキを防止できる他、外装部１７の大型化を防ぐことができ、さらには、固定にネジ等を用いないためリング８４装着部位における洗浄性を向上させることができる。
【０１６０】
図２７は、図２のリヤカバーの基端側を示す部分斜視図、図２８は、図２７のリヤカバーの基端側から、リング及びリヤネジが外された状態を示す部分斜視図、図２９は、図２７のリングを示す斜視図である。
【０１６１】
図２７に示すように、リヤカバー１７ｂの基端側にも、カメラヘッド３の外観を向上させるリング８８が装着されていても構わない。
【０１６２】
具体的には、図２８に示すようにリヤカバー１７ｂの基端には、周方向に沿って鍵溝９１が形成されており、該鍵溝９１にリング８８が嵌入されることにより、リヤカバー１７ｂの基端側にリング８８が装着固定される。
【０１６３】
尚、図２７、図２８に示すように、リング８８の高さ方向Ｍの上側の外周面には、例えば「オートクレーブ処理可能」等の文字８９が記載されている。よって、使用者に文字８９を認識させるには、装着後のリング８８の回転を防止する必要がある。
【０１６４】
そこで、本構成においては、図２７、図２８に示すように、鍵溝９１に、例えば平面視した形状が半円状の凸部９０を設け、図２７〜図２９に示すように、リング８８に、凸部９０に嵌合自在な平面視した形状が半円状の凹状の切り欠き８８ｋを設けた。
【０１６５】
このことによれば、鍵溝９１にリング８８が嵌合した際、凸部９０に切り欠き８８も嵌合することから、鍵溝９１にリング８８が嵌合した状態でリング８８が回転してしまうことを防止することができる。即ち、リング８８、文字８９の位置決めを容易に行うことができる。
【０１６６】
図３０は、従来のカプラ部の形状を示すカメラヘッドの斜視図である。
【０１６７】
上述したように、カプラ部１５は、マウント部材３１に対して、高さ方向Ｍの上下に移動自在あると示した。また、カプラ部１５に内視鏡２のアイピース９を接続する場合には、カプラ部１５を高さ方向Ｍの下方に押し下げると示した。
【０１６８】
ここで、カプラ部１５を下方に押し下げる際、通常、作業者は、カプラ部１５の上面を、指等で押し下げることにより、カプラ部１５を下方に押し下げる作業を行うはずである。この際、図３０の示すように、カプラ部１５の上面が平坦形状を有していると、または指で押下しやすいように凹んだ形状を有していると、指を用いて、カプラ部１５の上面を押し下げる際、指が外装部１７の上面に設けられたスイッチ釦１９に接触してしまい、押下操作が行い難いといった問題があった。
【０１６９】
そこで、本構成においては、図１１、図１３に示すように、カプラ部１５の上面１５に高さ方向Ｍの上方にスイッチ釦１９よりも大きく、具体的には、カプラ部１５の高さ方向Ｍの下方への移動量よりも大きく突出する突起部１５ｔが設けられている。尚、突起部１５ｔの上面は、押下操作が行いやすいよう凹んだ形状に形成されていても構わない。
【０１７０】
このような構成によれば、作業者は、指を用いて突起部１５ｔに対して押下操作を行えば、指がスイッチ釦１９に接触してしまうことがないため、カプラ部１５の押下操作性を向上させることができる。
【０１７１】
図３１は、従来のカメラヘッドにおける内視鏡が接続される接続部材の構成を示す斜視図、図３２は、本構成のカメラヘッドの接続部材の変形例の構成を示す斜視図、図３３は、図３２中のIIIXIII-IIIXIII線に沿うカメラヘッドの断面図である。
【０１７２】
上述した本実施の形態においては、カメラヘッド３に対して、カメラヘッド３のカプラ部１５に、内視鏡２のアイピース９が接続自在であると示した。
【０１７３】
これに限らず、フロントカバー１７ａの先端１７ａｋからカプラ部１５を取り外し、図３１に示すように、代わりに円筒状の接続部材９２を接続し、接続部材９２内に、直接、内視鏡２のアイピース９を取り外した把持部８の基端を接続する構成であっても構わない。尚、接続部材９２に対する把持部８の基端の接続構造は、後述する図３３に示す構成と同じである。
【０１７４】
簡単に、図２０に示す接続構成を説明すると、接続部材９２に対して把持部８の基端を接続固定する際は、例えば左手で接続部材９２を後方に押し込んで、右手で把持部８の基端側を接続部材９２内に押し込み、その後左手を接続部材９２から離すと、接続部材９２はバネの伸張によって前方に移動し、接続部材９２内の係止ピンが把持部８の基端側の外周面に形成された凹部に嵌入されることにより、把持部８の基端側は接続部材９２に対して固定される。
【０１７５】
また、接続部材９２内から把持部８の基端側を取り外す際は、再度バネの伸張力に抗して、左手で接続部材９２を後方に押し込んで、係止ピンを凹部から外し、その後、右手で把持部８の基端側を前方に引き抜くことにより、把持部８の基端側は接続部材９２から取り外される。
【０１７６】
しかしながら、把持部８の基端側の着脱において、例えば左手でバネの伸張力に抗して後方に接続部材９２を押し込む際、接続部材９２の外周面は滑りやすいことから、接続部材９２を前方に押し込み難いといった問題があった。
【０１７７】
そこで、図３２に示すように、本構成においては、接続部材９２の外周面に、高さ方向Ｍの上下方向に延出する外向鍔部９２ｔが設けられている。このことによれば、作業者は、鍔部９２ｔを、例えば左手で後方に押し込めば、接続部材９２は後方に移動することから、接続部材９２の押し込み動作が行いやすくなる。
【０１７８】
尚、以下、図３３を用いて、接続部材９２の構成を簡単に説明する。  
図３３に示すように、接続部材９２は、把持部８の基端側が内部に固定される取付部本体９４を有しており、該取付部本体９４の基端９４ｅは、フロントカバー１７ａの先端１７ａｋの内周に対して固定されている。
【０１７９】
また、取付部本体９４には、高さ方向Ｍに対向する位置に、高さ方向Ｍに沿った貫通孔９４ｋが２つ形成されており、該貫通孔９４ｋには、係止ピン９５がそれぞれ嵌入されており、該係止ピン９５は高さ方向Ｍの上下に移動自在となっている。尚、係止ピン９５は、頭部９５ｈに形成された抜け止めにより、取付部本体９４の内部側に全体が抜けてしまうことが防止されている。
【０１８０】
さらに、取付部本体９４の外周には、嵌合部材９８が被覆されている。嵌合部材９８は、取付部本体９４の基端側に形成された段部９４ｄに基端が接続された挿入方向Ｓに延在する伸張バネ１３３の先端が接続されており、挿入方向Ｓの前後に移動自在となっている。
【０１８１】
また、嵌合部材９８の外周には、接続部材９２の外装となる外装部材９３の基端側がネジによって接続されている。尚、外装部材９３に、上述した鍔部９２ｔが形成されている。
【０１８２】
また、嵌合部材９８に外装部材９３が固定されていることから、外装部材９３は、嵌合部材９８とともに挿入方向Ｓの前後に移動自在となっている。
【０１８３】
さらに、嵌合部材９８の先端の内周面に、係止ピン９５の頭部９５ｈが接触する傾斜面９８ｔが形成されている。
【０１８４】
傾斜面９８ｔに係止ピン９５の頭部９５ｈが接触している際は、伸張バネ１３３が自然長状態であり、係止ピン９５の頭部９５ｈの反対側の底部９５ｕは、貫通孔９４ｋを介して、取付部本体９４の内部側に飛び出して位置する。
【０１８５】
また、外装部材９３が伸張バネ１３３の付勢力に抗して後方に押し込まれると、係止ピン９５の頭部９５ｈは、傾斜面９８ｔを滑って、傾斜面９８ｔよりも前方に位置する。即ち、傾斜面９８ｔに係止ピン９５の頭部９５ｈが非接触となる。この状態において、係止ピン９５の底部９５ｕは、貫通孔９４ｋ内において、取付部本体９４の内部から外側に飛び出す。
【０１８６】
よって、一方、接続部材９２に対して把持部８の基端側を着脱するときは、外装部材９３を、鍔部９２ｔを用いて後方に押し込めば、係止ピン９５は、取付部本体９４の内部から貫通孔９４ｋ内に退避することから、自由に把持部８の基端側を取付部本体９４内に対して挿抜できる。
【０１８７】
他方、接続部材９２に対して把持部８の基端側を固定するときは、外装部材９３の押し込みをやめることにより、伸張バネ１３３によって外装部材９３及び嵌合部材９８は前方に移動することから、傾斜面９８ｔに係止ピン９５の頭部９５ｈが接触することにより、貫通孔９４ｋを介して、係止ピン９５の底部９５ｕが取付部本体９４内に飛び出し、底部９５ｕが把持部８の基端側の外周面に形成された凹部に嵌入することから、接続部材９２に対して把持部８の基端側が固定される。
【０１８８】
図３４は、図２０の固定枠に第２の基板のリジット部が固定された状態を拡大して示す斜視図である。
【０１８９】
ところで、第２の基板３８は、上述したように、固定枠８０に固定されていると示した。具体的には、図３４に示すように、第２の基板３８のリジット部３８ａが、固定枠８０の基端面にネジ固定されている。
【０１９０】
ここで、従来においては、固定枠８０の基端面の４隅に対してリジット部３８ａの４隅をネジにより固定することによって、固定枠８０の基端面に対してリジット部３８ａを固定していたが、より容易に固定できる構成が望まれていた。
【０１９１】
そこで、本構成においては、幅方向Ｎにおいて対向する２つの固定枠８０の基端側の高さ方向の底部からＬ字状に、固定枠８０の基端面よりも後方に突出するとともに、突出端が、幅方向Ｎにおいて互いに対向するよう方向Ｎに沿って内側に折り曲げられた腕部８０ｋが設けられた構成を有している。
【０１９２】
２本の腕部８０ｋには、第２の基板３８のリジット部３８ａにおいて、該リジット部３８ａとフレキシブル部３８ｃとの境において、リジット部３８ａとフレキシブル部３８ｃとが幅方向Ｎにおける幅が異なることによって形成された段部３８ａｄが係止される。このことにより、リジット部３８ａの高さ方向Ｍの位置が規定される。
【０１９３】
さらに、この係止状態においては、２本の腕部８０ｋは、リジット部３８ａの非固定面３８ａｆに対向して位置していることから、リジット部３８ａの段部３８ａｄ周辺部位が、挿入方向Ｓの後方に飛び出すことが無い他、リジット部３８ａとフレキシブル部３８ｃとの境の部位が、２本の腕部８０ｋに当接するため、リジット部３８ａの位置が、幅方向Ｎにずれてしまうことが無い。
【０１９４】
即ち、リジット部３８ａにおける段部３８ａｄ周辺部は、２本の腕部８０ｋによって高さ方向Ｍ、幅方向Ｎ及び挿入方向Ｓの位置が規定されて係止されている。
【０１９５】
よって、固定枠８０の基端面に対して、リジット部３８ａを固定する際、リジット部３８ａは、高さ方向Ｍの上部側のみ、角部の２箇所をネジ９９によって固定すれば良いことから、リジット部３８ａの固定構造が簡単となる。
【０１９６】
また、リジット部３８ａの高さ方向Ｍ及び幅方向Ｎの位置は、腕部８０ｋに対するリジット部３８ａの接触によって規定されるため、固定枠８０のネジ孔に対して、ネジ９９が貫通されるリジット部３８に形成された孔の位置を精度良く容易に規定することができる。
【符号の説明】
【０１９７】
２…内視鏡
３…カメラヘッド（撮像装置）
１６…気密ケース（ケース部材）
１７…外装部（外装部材）
２０…基板固定部材
２０ａ…固定部
２０ｂ…基板押し下げ部
２０ｃ…収納部
２２…基板
２２ａ…第１の部位
２２ａｃ…第１の部位の固定面
２２ａｔ…第１の部位の上面（非固定面）
２２ｂ…第２の部位
２２ｂｊ…実装面
５２…壁部
５２ｔ…壁部の頂部
５８…第１の貫通孔
５９…第２の貫通孔
６０…縁部
６０ｔ…縁部の底部
６１…液状封止材料（搭載部材）
１００…撮像ユニット
１５１…電子部品（搭載部材）
Ａ…実装エリア
Ｋ…空間
Ｓ…挿入方向（延在方向）
【図１】
2013056003.tif 000003
【図２】
2013056003.tif 000004
【図３】
2013056003.tif 000005
【図４】
2013056003.tif 000006
【図５】
2013056003.tif 000007
【図６】
2013056003.tif 000008
【図７】
2013056003.tif 000009
【図８】
2013056003.tif 000010
【図９】
2013056003.tif 000011
【図１０】
2013056003.tif 000012
【図１１】
2013056003.tif 000013
【図１２】
2013056003.tif 000014
【図１３】
2013056003.tif 000015
【図１４】
2013056003.tif 000016
【図１５】
2013056003.tif 000017
【図１６】
2013056003.tif 000018
【図１７】
2013056003.tif 000019
【図１８】
2013056003.tif 000020
【図１９】
2013056003.tif 000021
【図２０】
2013056003.tif 000022
【図２１】
2013056003.tif 000023
【図２２】
2013056003.tif 000024
【図２３】
2013056003.tif 000025
【図２４】
2013056003.tif 000026
【図２５】
2013056003.tif 000027
【図２６】
2013056003.tif 000028
【図２７】
2013056003.tif 000029
【図２８】
2013056003.tif 000030
【図２９】
2013056003.tif 000031
【図３０】
2013056003.tif 000032
【図３１】
2013056003.tif 000033
【図３２】
2013056003.tif 000034
【図３３】
2013056003.tif 000035
【図３４】
2013056003.tif 000036